(57)【要約】【課題】空気調和機据え付け時の試運転の容易性とリモコン紛失時の応急運転実施の容易性を両立させる空気調和機を得ること。【解決手段】室内機本体１からパネル部２が着脱可能な天井カセットタイプの室内機を有する空気調和機において、前記室内機本体１は、空気調和機の起動および運転停止を制御するマイコンと、当該空気調和機の起動および運転停止の操作が可能な応急運転スイッチＳＷ２と、を備え、前記パネル部２は、当該空気調和機の起動および運転停止の操作が可能な応急運転スイッチＳＷ１を備える。【選択図】図２
2012163244.tif 000002
【特許請求の範囲】
【請求項１】
室内機本体からパネル部が着脱可能な天井カセットタイプの室内機を有する空気調和機において、
前記室内機本体は、
空気調和機の起動および運転停止を制御する制御部と、
当該空気調和機の起動および運転停止の操作が可能な第１の応急運転スイッチと、
を備え、
前記パネル部は、
当該空気調和機の起動および運転停止の操作が可能な第２の応急運転スイッチを備える、
ことを特徴とする空気調和機。
【請求項２】
前記制御部は、各応急運転スイッチと接続するポートの電圧を検知し、当該電圧に基づいて制御を行う、
ことを特徴とする請求項１に記載の空気調和機。
【請求項３】
前記２つの応急運転スイッチと前記制御部との間の回路をそれぞれ独立した構成とし、
前記制御部は、異なるポートを用いて各応急運転スイッチの操作に基づく電圧を検知する、
ことを特徴とする請求項２に記載の空気調和機。
【請求項４】
前記２つの応急運転スイッチを回路構成上並列に配置して、当該２つの応急運転スイッチと前記制御部との間の回路を共通とし、
前記制御部は、１つのポートで各応急運転スイッチの操作に基づく電圧を検知する、
ことを特徴とする請求項２に記載の空気調和機。
【請求項５】
室内機本体からパネル部が着脱可能な天井カセットタイプの室内機を有する空気調和機において、
前記室内機本体は、
空気調和機の起動および運転停止を制御する制御部と、
当該空気調和機の起動および運転停止の操作が可能な応急運転スイッチと、
を備え、
前記パネル部は、
前記室内機本体に取り付けた状態において、前記応急運転スイッチの操作が可能なスイッチ操作部を備える、
ことを特徴とする空気調和機。
【請求項６】
前記制御部は、前記応急運転スイッチと接続するポートの電圧を検知し、当該電圧に基づいて制御を行う、
ことを特徴とする請求項５に記載の空気調和機。
【発明の詳細な説明】
【技術分野】
【０００１】
本発明は、応急運転スイッチを有する天井カセットタイプの空気調和機に関する。
【背景技術】
【０００２】
従来、空気調和機では、下記特許文献１において開示されているように、ユーザーのリモコン紛失時のスイッチ操作作業性を配慮して、応急運転スイッチを室内機のパネル部に設けている。応急運転スイッチとは、冷房運転起動、暖房運転起動、運転停止作業が行えるスイッチであり、例えば、下記のような場合に使用することが考えられる。（１）リモコン紛失時及び電池切れ等でリモコン操作できない場合に空気調和機を動かす。（２）空気調和機据え付け時の動作確認用として空気調和機を動かす。（３）サービス部品交換時の動作確認用として空気調和機を動かす。（４）空気調和機取り外し時のポンプダウン、すなわち冷媒回収のために空気調和機を動かす。
【０００３】
なお、空気調和機には様々な形状の室内機があり、下記特許文献１で示されている形状の他、例えば、天井カセットタイプがある。天井カセットタイプの室内機においても、同様に、パネル部に応急運転スイッチを備えている。
【先行技術文献】
【特許文献】
【０００４】
【特許文献１】特開２０１０−８６６９８号公報
【発明の概要】
【発明が解決しようとする課題】
【０００５】
ここで、天井カセットタイプの空気調和機の据え付けにおいては、新築の場合、生活空間としての天井が張られる前に室内機本体を取り付け、室外機と冷媒配管、電気配線を接続する。その後、室内機本体の周りにメンテナンススペースを確保して天井を形成し、最後にパネル部を取り付ける。このように、室内機本体と室外機の接続と、パネル部を取り付ける日程は別となることが多い。
【０００６】
しかしながら、応急運転スイッチはパネル部側に設けられているため、室内機本体と室外機の接続完了段階、すなわち、パネル部未接続の段階では空気調和機の動作確認をすることができない。そのため、パネル部取り付け後の動作確認で据え付け作業に問題があることが判明した場合、不具合内容によってはパネル部を取り外さないと作業できない場合もある上、天井が張られた分作業スペースが大幅に縮小し手直しの作業性が大幅に低下してしまう、という問題があった。また、部品交換サービス時においてはパネル部を外さないと交換できない部品もあり、その際にも動作確認にパネル部が必要となり手間がかかる、という問題があった。
【０００７】
本発明は、上記に鑑みてなされたものであって、空気調和機据え付け時の試運転実現および部品交換サービスにおける動作確認の容易性と、リモコン紛失時の応急運転実施の容易性を両立させることが可能な空気調和機を得ることを目的とする。
【課題を解決するための手段】
【０００８】
上述した課題を解決し、目的を達成するために、本発明は、室内機本体からパネル部が着脱可能な天井カセットタイプの室内機を有する空気調和機において、前記室内機本体は、空気調和機の起動および運転停止を制御する制御部と、当該空気調和機の起動および運転停止の操作が可能な第１の応急運転スイッチと、を備え、前記パネル部は、当該空気調和機の起動および運転停止の操作が可能な第２の応急運転スイッチを備える、ことを特徴とする。
【発明の効果】
【０００９】
本発明によれば、空気調和機据え付け時の試運転実現および部品交換サービスにおける動作確認の容易性と、リモコン紛失時の応急運転実施の容易性を両立させることができる、という効果を奏する。
【図面の簡単な説明】
【００１０】
【図１】図１は、天井カセットタイプ空気調和機の室内機の外観を示す図である。
【図２】図２は、実施の形態１の室内機の構成例を示す図である。
【図３】図３は、実施の形態１の応急運転スイッチ周辺回路を示す図である。
【図４】図４は、従来の応急運転スイッチ周辺回路を示す図である。
【図５】図５は、実施の形態２の応急運転スイッチ周辺回路を示す図である。
【図６】図６は、実施の形態３の室内機の構成例を示す図である。
【図７】図７は、応急運転スイッチ周辺の断面の拡大図である。
【図８】図８は、実施の形態３の応急運転スイッチ周辺回路を示す図である。
【発明を実施するための形態】
【００１１】
以下に、本発明にかかる空気調和機の実施の形態を図面に基づいて詳細に説明する。なお、この実施の形態によりこの発明が限定されるものではない。
【００１２】
実施の形態１．
図１は、本実施の形態で対象とする天井カセットタイプ空気調和機の室内機の外観を示す図である。室内機は、室内機本体１と、パネル部２と、から構成されており、室内機本体１は天井内に収まり、室内側からはパネル部２しか見えないように据え付けされる。このタイプの空気調和機の室内機は、室外機（図示せず）と冷媒配管（図示せず）、電気配線（図示せず）にて接続され、冷房、暖房といった動作を行う。
【００１３】
図２は、本実施の形態におけるパネル部２に電装品（パネル基板５）を持つ室内機の構成例を示す図である。室内機本体１は、本体基板３を備えており、本体基板３には室内機本体１側の応急運転スイッチＳＷ２が実装されている。また、パネル部２のパネル基板５に給電及び入出力信号を受け渡しするためのハーネス４とコネクタＣＮ２で接続されている。このハーネス４のもう一端はパネル基板５のコネクタＣＮ１に接続されている。
【００１４】
パネル部２は、パネル基板５を備えており、パネル基板５にはパネル部２側の応急運転スイッチＳＷ１が実装されている。応急運転スイッチＳＷ１に入力された信号は、コネクタＣＮ１、ハーネス４、コネクタＣＮ２を介して本体基板３上に実装されているマイコンに伝達される。
【００１５】
図３は、本実施の形態における応急運転スイッチ周辺回路を示す図である。パネル基板５上の応急運転スイッチＳＷ１、および本体基板３上の応急運転スイッチＳＷ２からの信号はマイコンＩＣ１の独立した異なるそれぞれのポートに入力される。マイコンＩＣ１は、空気調和機において、冷房運転の起動、暖房運転への切換、停止等を制御する制御部である。マイコンＩＣ１は、異なるポートで応急運転スイッチＳＷ１，ＳＷ２からの信号を受け付けるが、応急運転スイッチＳＷ１，ＳＷ２から信号を入力した際の動作は共通であり、入力した信号に基づいて、冷房運転の起動、暖房運転への切換、停止を行うよう出力を行う。
【００１６】
具体的に、図３に示す回路において、応急運転スイッチＳＷ１を用いた場合の動作について説明する。なお、括弧内は応急運転スイッチＳＷ２の場合を示す。応急運転スイッチＳＷ１（ＳＷ２）が押されない場合、抵抗Ｒ１（Ｒ１Ａ）によってポートはプルアップされており、Ｈｉ入力となる。一方、応急運転スイッチＳＷ１（ＳＷ２）が押された場合、抵抗Ｒ１と抵抗Ｒ２（抵抗Ｒ１Ａと抵抗Ｒ２Ａ）の分圧比によってマイコンＩＣ１がＬｏを認識する。このとき、マイコンＩＣ１が十分にＬｏと認識できるように抵抗の定数選定を行う。
【００１７】
すなわち、マイコンＩＣ１は、このＨｉおよびＬｏの電圧を検知して、検知した電圧を応急運転スイッチＳＷ１（ＳＷ２）からの信号として受け付けて、空気調和機の起動や停止等の制御を行う。
【００１８】
また、コンデンサＣ１（Ｃ１Ａ）は、抵抗Ｒ２（Ｒ２Ａ）と共に外来ノイズ及びスイッチのチャタリングに対してフィルタ回路を形成し、ノイズ耐力を持たせている。
【００１９】
ここで、従来からのパネル部２側にのみ応急運転スイッチを備える場合の回路構成について説明する。図４は、従来の応急運転スイッチ周辺回路を示す図である。従来では応急運転スイッチを１つのみ設けているため、応急運転スイッチＳＷ１に関する各部品（応急運転スイッチＳＷ１、抵抗Ｒ１、抵抗Ｒ２、コンデンサＣ１）は備えているが、応急運転スイッチＳＷ２に関する部品（応急運転スイッチＳＷ２、抵抗Ｒ１Ａ、抵抗Ｒ２Ａ、コンデンサＣ１Ａ）は備えていない。なお、応急運転スイッチＳＷ１に関する各部品の動作および役割は図３と同様である。
【００２０】
このように、本実施の形態では、室内機本体１側にも応急運転スイッチＳＷ２を備えていることから、空気調和機据え付け時において、室内機本体１と室外機の冷媒配管、電気配線接続が完了した段階で試運転スイッチとして応急運転スイッチＳＷ２を用いて動作確認をすることができる。一方、パネル部２取り付け後は、室内機本体１は室内側から見ることができなくなり、室内機本体１の応急運転ＳＷ２は操作することができなくなるが、パネル部２の応急運転ＳＷ１をユーザー使用段階におけるリモコン紛失時の応急運転スイッチとして使用することができる。また、部品交換サービス時においても、パネル部２を取り外した状態で室内機本体１側の応急運転スイッチＳＷ２を用いて動作確認をすることができるので、作業効率が上がる。
【００２１】
以上説明したように、本実施の形態では、天井カセットタイプの室内機を有する空気調和機において、室内機の室内機本体側とパネル部側の両方に応急運転スイッチを設け、パネル部を取り付けていない状態においても応急運転が行えるようにした。これにより、空気調和機据え付け時の試運転実現および部品交換サービスにおける動作確認の容易性と、リモコン紛失時の応急運転実施の容易性を両立させるという効果を有する。
【００２２】
実施の形態２．
実施の形態１では、単純に２つの応急運転スイッチＳＷ１，ＳＷ２をパネル部２、室内機本体１にそれぞれ設けている。しかしながら、マイコンＩＣ１入力ポートを独立して持たせているため、通常１回路でよい応急運転スイッチ回路が２回路必要となりコストＵＰとなってしまう。本実施の形態では、コストＵＰを抑えた仕様について説明する。実施の形態１と異なる部分について説明する。
【００２３】
図５は、本実施の形態におけるスイッチ周辺回路を示す図である。ここでは、コネクタＣＮ１、ハーネス４、コネクタＣＮ２を介しているが、応急運転スイッチＳＷ１，ＳＷ２が、回路構成上並列に配置されており、抵抗Ｒ１、抵抗Ｒ２、コンデンサＣ１は、応急運転スイッチＳＷ１，ＳＷ２で共通に使用されている。
【００２４】
これにより、２つの応急運転スイッチＳＷ１，ＳＷ２のマイコンＩＣ１における入力ポートを共通化することで、抵抗Ｒ１Ａ、抵抗Ｒ２Ａ、コンデンサＣ１Ａを削減でき、部品直材および加工費コストＵＰ、基板実装スペース増加を抑制することができる。
【００２５】
また、マイコンＩＣ１は、１つのポートで応急運転スイッチＳＷ１，ＳＷ２からの信号を受け付けるので、マイコンＩＣ１のポートを増やす必要がなくなるため、マイコンＩＣ１のポート不足の恐れがなくなり、Ｓ／Ｗ組み込みの難易度、負荷も上がらないという効果を得つつ、実施の形態１と同様に、空気調和機据え付け時の試運転実現および部品交換サービスにおける動作確認の容易性と、リモコン紛失時の応急運転実施の容易性を両立させるという効果を有する。
【００２６】
実施の形態３．
実施の形態１，２では、物理的に２つの応急運転スイッチＳＷ１，ＳＷ２を設けている。本実施の形態では、応急運転スイッチを１つにしつつ、パネル部２を取り付けた状態、取り付けていない状態のいずれの場合においても応急運転スイッチの操作が可能な構成について説明する。実施の形態１，２と異なる部分について説明する。
【００２７】
図６は、本実施の形態におけるパネル部２に電装品を持つ室内機の構成例を示す図である。また、図７は、応急運転スイッチＳＷ２周辺の断面の拡大図を示す。パネル部２が取り付けられていない状態においては、スイッチシート６（室内機本体応急運転スイッチ操作面Ａ）を介して応急運転スイッチＳＷ２を操作する。このスイッチシート６は、本体基板３上のマイコンＩＣ１等に対する静電気保護の役目を果たす。なお、図２において図示していないが、実施の形態１，２の応急運転スイッチＳＷ１，ＳＷ２にも静電気保護の役割を果たすスイッチシート、スイッチ操作面等があるものとする。
【００２８】
パネル部２を取り付けた状態においては、パネル部２に設けたスイッチ操作部７（パネル部応急運転スイッチ操作面Ｂ）を押すことで室内機本体１のスイッチシート６及び応急運転スイッチＳＷ２を間接的に押すことができ操作可能な構成とする。図７に示すように、スイッチ操作部７は、室内機本体１にパネル部２を取り付けた状態において、応急運転スイッチＳＷ２と重なる位置に設けられている。スイッチ操作部７はパネル部意匠面８とは別パーツで構成され、スリット、薄肉等により可動しやすいように配慮されている。
【００２９】
図８は、本実施の形態における応急運転スイッチ周辺回路を示す図である。上記で説明したように、パネル部２取り付け後は、パネル部２側から、間接的に室内機本体１に取り付けられた応急運転スイッチＳＷ２を押す構成としている。そのため、応急運転スイッチ周辺回路は１回路分だけでよく、実施の形態２と比較しても、更に応急運転スイッチを１つ減らすことができる。また、室内機本体１からパネル部２に接続するためのハーネス４のリード線の本数もスイッチ回路分不要となり、コネクタ小型化、基板実装面積縮小を図ることができる。
【００３０】
以上説明したように、本実施の形態では、パネル部２を取り付け状態において、室内機本体１の応急運転スイッチＳＷ２と重なるパネル部２の部分にスイッチ操作部７を設け、スイッチ操作部７によって室内機本体１の応急運転スイッチＳＷ２を操作できることとした。これにより、応急運転スイッチを１つだけ配置する構成とすることができ、ＶＡ（Value  Analysis）を図りつつ、実施の形態１，２と同様に、空気調和機据え付け時の試運転実現および部品交換サービスにおける動作確認の容易性と、リモコン紛失時の応急運転実施の容易性を両立させるという効果を有する。
【符号の説明】
【００３１】
１  室内機本体
２  パネル部
３  本体基板
４  ハーネス
５  パネル基板
６  スイッチシート
７  スイッチ操作部
８  パネル部意匠面
ＳＷ１，ＳＷ２  応急運転スイッチ
ＣＮ１，ＣＮ２  コネクタ
ＩＣ１  マイコン
Ｒ１，Ｒ２，Ｒ１Ａ，Ｒ２Ａ  抵抗
Ｃ１，Ｃ１Ａ  コンデンサ
ＶＤＤ  マイコン駆動電源
ＧＮＤ  マイコン基準グランド
【図１】
2012163244.tif 000003
【図２】
2012163244.tif 000004
【図３】
2012163244.tif 000005
【図４】
2012163244.tif 000006
【図５】
2012163244.tif 000007
【図６】
2012163244.tif 000008
【図７】
2012163244.tif 000009
【図８】
2012163244.tif 000010